(57)【要約】      （修正有）【課題】構造が簡単でコンパクトになり、プレスで自己発電できるプレスキー発電構造を提供する。【解決手段】「Ｕ」字形の導磁石１と、電磁コイル２と、取付ジャケット３と、弾性片４と、取付ボトムケース５と、弾性支持戻し構造と、取付構造８と、上導磁石９と、永久磁石１０と下導磁石１１とを備える。取付構造と弾性支持戻し構造が取付ボトムケース上に設けられ、導磁石が取付構造上に設けられ、電磁コイルが導磁石の閉鎖端のまわりに巻き付けられ、上導磁石と下導磁石と永久磁石が取付ジャケット上に設けられ、上導磁石と下導磁石がそれぞれ永久磁石の２極に位置し、取付ジャケットが回動可能に取付構造上に設けられ、導磁石の開口の両端が上導磁石と下導磁石との間に位置することで導磁回路が形成され、上導磁石と下導磁石とが導磁石の開口の両端に対して上下揺動でき、弾性片の左端が取付ジャケットや、上導磁石又は下導磁石上に固定され、弾性片の右端が弾性支持戻し構造上に設けられる。【選択図】図２
0003215823.tif 000002
【実用新案登録請求の範囲】
【請求項１】
「Ｕ」字形の導磁石（１）と、電磁コイル（２）と、取付ジャケット（３）と、弾性片（４）と、取付ボトムケース（５）と、弾性支持戻し構造と、取付構造（８）と、上導磁石（９）と、永久磁石（１０）と下導磁石（１１）とを備え、  
前記取付構造（８）と弾性支持戻し構造の何れも取付ボトムケース（５）上に設けられ、  
前記「Ｕ」字形の導磁石（１）が取付構造（８）上又は取付ボトムケース（５）上に設けられ、  
前記電磁コイル（２）が「Ｕ」字形の導磁石（４）の閉鎖端のまわりに巻き付けられ、  
前記上導磁石（９）と、下導磁石（１１）と永久磁石（１０）の何れも取付ジャケット（３）上に設けられ、上導磁石（９）と下導磁石（１１）がそれぞれ永久磁石（１０）の２極に位置し、上導磁石（９）と、下導磁石（１１）と永久磁石（１０）が「工」字状に配列され、取付ジャケット（３）が回動可能に取付構造（８）上に設けられ、前記「Ｕ」字形の導磁石（１）の開口の両端が上導磁石（９）と下導磁石（１１）との間に位置することによって導磁回路が形成され、上導磁石（９）と下導磁石（１１）とが「Ｕ」字形の導磁石（１）の開口の両端に対して上下揺動でき、  
前記弾性片（４）の左端が取付ジャケット（３）や、上導磁石（９）又は上導磁石（１０）上に固定され、弾性片（４）の右端が弾性支持戻し構造上に設けられ、  
前記弾性支持戻し構造が１本以上の弾性支持脚（６）を含み、前記弾性支持脚（６）の上端が弾性片（４）の右端を支持し、弾性支持脚（６）の下端が取付ボトムケース（５）上に位置する、或は前記弾性支持戻し構造が回動アーム（１２）と、トーションばね（１４）と取付軸付きの取付ベース（１３）とを含み、前記取付ベース（１３）が取付ボトムケース（５）上に取付られ、前記回動アーム（１２）の下端が回動可能に取付ベース（１３）の取付軸上に設けられ、前記トーションばね（１４）が取付ベース（１３）の取付軸上に外嵌され、回動アーム（１２）の上端が弾性片（４）の右端を支持するようにトーションばね（１４）の一方の端を回動アーム（１２）上に当接させ、トーションばね（１４）の他方の端を取付ボトムケース（５）又は取付構造上に当接させる、或は前記弾性支持戻し構造が「馬蹄」形の押圧レバー（１５）と戻しバネ（１６）とを含み、前記取付構造（８）上に取付支持アーム（８１）が設けられ、前記押圧レバー（１５）の開口の両端が回動自在に取付アーム（８１）上に取付られ、前記弾性片（４）の右端が押圧レバー（１５）の屈曲部に設けられ、前記戻しバネ（１６）が取付ボトムケース（５）上に取付られ、かつ押圧レバー（１５）の屈曲部が戻しバネ（１６）の上端に設けられることを特徴とするプレスキー発電構造。
【請求項２】
前記取付構造（８）が２つの取付ホルダを含み、前記の取付ジャケット（３）と、上導磁石（８）と、下導磁石（１１）と永久磁石（１０）が２つの取付ホルダの間に位置し、前記取付ジャケット（３）が回動可能に２つの取付ホルダ上に設けられることを特徴とする請求項１に記載のプレスキー発電構造。
【請求項３】
前記押圧レバー（１５）の屈曲部の下方に戻しバネ（１６）の上方に外嵌されるスリープ（１５１）が設けられることを特徴とする請求項１に記載のプレスキー発電構造。
【請求項４】
前記取付ボトムケース（５）上に取付柱（５１）が設けられ、前記戻しバネ（１６）のミドルボトル部が取付柱（５１）上に外嵌されることを特徴とする請求項１に記載のプレスキー発電構造。
【考案の詳細な説明】
【技術分野】
【０００１】
本考案はプレスキー発電構造に関して、特にドアベル用のプレスキー発電構造に関する。
【背景技術】
【０００２】
従来、電池駆動で動作し、電池が切れるとドアベルが動作できず、利便性が悪いドアベル送信機や、自己発電構造を付けて電池駆動の利便性上の欠点を解消できるものの、その構造が複雑であるドアベル送信機という２種類のドアベル送信機が知られている。
【考案の概要】
【考案が解決しようとする課題】
【０００３】
従来技術の欠点を解消するために、本考案は構造が簡単でコンパクトになり、プレスで自己発電できるプレスキー発電構造の提供を目的とする。
【課題を解決するための手段】
【０００４】
上記の目的を達成するために、本考案はプレスキー発電構造であって、「Ｕ」字形の導磁石と、電磁コイルと、取付ジャケットと、弾性片と、取付ボトムケースと、弾性支持戻し構造と、取付構造と、上導磁石と、永久磁石と下導磁石とを備え、上記取付構造と弾性支持戻し構造の何れも取付ボトムケース上に設けられ、上記「Ｕ」字形の導磁石が取付構造上又は取付ボトムケース上に設けられ、上記電磁コイルが「Ｕ」字形の導磁石の閉鎖端のまわりに巻き付けられ、上記上導磁石と、下導磁石と永久磁石の何れも取付ジャケット上に設けられ、上導磁石と下導磁石がそれぞれ永久磁石の２極に位置し、上導磁石と、下導磁石と永久磁石が「工」字状に配列され、取付ジャケットが回動可能に取付構造上に設けられ、上記「Ｕ」字形の導磁石の開口の両端が上導磁石と下導磁石との間に位置することによって導磁回路が形成され、上導磁石と下導磁石とが「Ｕ」字形の導磁石の開口の両端に対して上下に揺動でき、上記弾性片の左端が取付ジャケットや、上導磁石又は上導磁石上に固定され、弾性片の右端が弾性支持戻し構造上に設けられることを特徴とするプレスキー発電構造である。
【０００５】
上記弾性支持戻し構造が１本以上の弾性支持脚を含み、上記弾性支持脚の上端が弾性片の右端を支持し、弾性支持脚の下端が取付ボトムケース上に位置する。
【０００６】
上記弾性支持戻し構造が回動アームと、トーションばねと取付軸付きの取付ベースとを含み、上記取付ベースが取付ボトムケース上に取付られ、上記回動アームの下端が回動可能に取付ベースの取付軸上に設けられ、上記トーションばねが取付ベースの取付軸上に外嵌され、回動アームの上端が弾性片の右端を支持するようにトーションばねの一方の端を回動アーム上に当接させ、トーションばねの他方の端を取付ボトムケース又は取付構造上に当接させる。
【０００７】
上記弾性支持戻し構造が「馬蹄」形の押圧レバーと戻しバネとを含み、上記取付構造上に取付支持アームが設けられ、上記押圧レバーの開口の両端が回動自在に取付アーム上に取付られ、上記弾性片の右端が押圧レバーの屈曲部に設けられ、上記戻しバネが取付ボトムケース上に取付られ、かつ押圧レバーの屈曲部が戻しバネの上端に設けられる。
【０００８】
上記取付構造が２つの取付ホルダを含み、上記の取付ジャケットと、上導磁石と、下導磁石と永久磁石が２つの取付ホルダの間に位置し、上記取付ジャケットが回動可能に２つの取付ホルダ上に設けられる。
【０００９】
上記押圧レバーの屈曲部の下方に戻しバネの上方に外嵌されるスリープが設けられる。
【００１０】
上記取付ボトムケース上に取付柱が設けられ、上記戻しバネのミドルボトル部が取付柱上に外嵌される。
【考案の効果】
【００１１】
本考案は従来技術と比べると構造が簡単でコンパクトになり、プレスで自己発電できるという利点を有する。
【図面の簡単な説明】
【００１２】
【図１】図１は本考案の実施例１の構造模式図である。
【図２】図２は図１の分解図である。
【図３】図３は図１の平面図である。
【図４】図４は図１のＡ-Ａ断面図である。
【図５】図５は本考案の実施例２の構造模式図である。
【図６】図６は図５の分解図である。
【図７】図７は図５の平面図である。
【図８】図８は図５のＢ-Ｂ断面図である。
【図９】図９は本考案の実施例３の構造模式図である。
【図１０】図１０は図９の分解図である。
【図１１】図１１は図９の平面図である。
【図１２】図１２は図９のＣ-Ｃ断面図である。
【考案を実施するための形態】
【００１３】
以下、図面を参照して本考案の具体的な実施形態を詳しく説明する。なお、これらの実施形態についての説明は本考案の解釈のためのもので、本考案を限定するものではない。また、以下記述する本考案の各実施形態に係る技術的な特徴について互いに矛盾しない限り組み合わせることも可能である。
【００１４】
本考案の記述において、「左」、「右」、「上」や「下」等の用語に示す方位や位置関係が図面に示す方位あるいは位置関係に基づくものであり、本考案が特定の方位構造及び操作に限定されずに、本考案を記述するためであるので、本考案を制限しない。
【００１５】
実施例１  
図１〜４に示すように、「Ｕ」字形の導磁石１と、電磁コイル２と、取付ジャケット３と、弾性片４と、取付ボトムケース５と、弾性支持戻し構造と、取付構造８と、上導磁石９と、永久磁石１０と下導磁石１１とを備えるプレスキー発電構造であって、上記取付構造８と一部の弾性支持戻し構造の何れも取付ボトムケース５上に設けられ、上記「Ｕ」字形の導磁石１が取付構造８上又は取付ボトムケース５上に設けられ、上記永磁コイル２が「Ｕ」字形の導磁石４の閉鎖端のまわりに巻き付けられ、上記上導磁石９と、下導磁石１１と永久磁石１０の何れも取付ジャケット３上に設けられ、上導磁石９と下導磁石１１とがそれぞれ永久磁石１０の２極に位置し、上導磁石９と、下導磁石１１と永久磁石１０とが「工」字状に配列され、取付ジャケット３が回動可能に取付構造８上に設けられ、上記「Ｕ」字形の導磁石１の開口の両端が上導磁石９と下導磁石１１との間に位置することによって導磁回路が形成され、「Ｕ」字形の導磁石１の開口の両端が上導磁石９と下導磁石１１との間に上下揺動できる隙間が設けられ、上導磁石９と下導磁石１１とが「Ｕ」字形の導磁石１の開口の両端に対して上下揺動でき、上記弾性片４の左端が取付ジャケット３や、上導磁石９又は下導磁石１０上に固定され、弾性片４の右端が弾性支持戻し構造上に設けられるプレスキー発電構造である。
【００１６】
本実施例において、上記弾性支持戻し構造が２本の弾性支持脚６を含み、上記弾性支持脚６の上端に弾性片４の左端を支持して接続され、弾性支持脚６の下端が取付ボトムケース５上に位置する。なお、取付ボトムケース５上に摺動シート７が設けられ、摺動シート７上に摺動溝７１が設けられ、２本の弾性支持脚６の下端がそれぞれ対応する摺動溝７１のうちに位置し、摺動シート７が弾性支持脚６の他方の端能が取付ボトムケース５を押圧するようにボトムケース５を高める手段として機能し、それ以外に、摺動シート７も取付ボトムケース５を保護してその磨耗を防止する手段として機能する。
【００１７】
本実施例において、上記取付構造８が２つの取付ホルダを含み、上記の取付ジャケット３と、上導磁石８と、下導磁石１１と永久磁石１０とが２つの取付ホルダの間に位置し、上記取付ジャケット（３）が回動可能に２つの取付ホルダ上に設けられる。
【００１８】
使用するには、人間の手で弾性片４の右端をプレスすると、弾性片４によって上導磁石９と、下導磁石１１と永久磁石１０とを時計回りに回動させ、弾性片４にエネルギーを貯留して、手を外すと、弾性支持脚６の作用下で、弾性片４が「Ｕ」字形の導磁石１に対する上導磁石９と下導磁石１１の吸引力を抵抗するようにエネルギーを瞬間放出し、このように弾性片４によって上導磁石９と、下導磁石１１と永久磁石１０を瞬間反時計回りに回動させ、そのプレス・放出過程中において、上導磁石９と「Ｕ」字形の導磁石１と下導磁石１１に磁場変換が発生したので、電磁コイル２に誘導電流が流れ、電磁コイル２がその電力を配線板へ供給する。
【００１９】
実施例２  
本実施例は、図５〜８に示すように、上記弾性支持戻し構造が回動アーム１２と、トーションばね１４と取付軸付きの取付ベース１３を含み、上記取付ベース１３が取付ボトムケース５上に取付られ、上記回動アーム１２の下端が回動可能に取付ベース１３の取付軸上に設けられ、上記トーションばね１４が取付ベース１３の取付軸上に外嵌され、回動アーム１２の上端が弾性片４の右端を支持するようにトーションばね１４一端を回動アーム１２上に当接させ、トーションばね１４の他方の端を取付ボトムケース５上に当接させ（トーションばね１４の他方の端を取付構造８上に当接させても、同様な効果を図る）、それ以外は実施例１と同様である。動作時に、弾性片４の右端が下へプレスされる場合に、回動アーム１２がそれに伴い時計回りに回動し、弾性片４のプレス力が無くなった時に、トーションばね１４の作用下で、回動アーム１２が反時計回りに回動し、弾性片４の右端をプッシュアップする。発電の動作原理が実施例１と同様であるので、その詳しい説明を割愛する。
【００２０】
実施例３  
本実施例は、図９〜１２に示すように、上記弾性支持戻し構造が「馬蹄」形の押圧レバー１５と戻しバネ１６を含み、上記取付構造８上に取付支持アーム８１が設けられ、上記押圧レバー１５の開口の両端が回動可能に取付アーム８１上に取付られ、上記弾性片４の右端が押圧レバー１５の屈曲部に設けられ、上記戻しバネ１６が取付ボトムケース５上に取付けられ、かつ押圧レバー１５の屈曲部が戻しバネ１６の上端に設けられる以外に、実施例１と同様である。動作時に、押圧レバー１５の屈曲部を下へプレスすると、弾性片４の右端がそれに伴い下へ移動し、プレス力が無くなった時に、戻しバネ１６の作用下で、押圧レバー１５の屈曲部が反時計回りに回動し、弾性片４の右端をプッシュアップする。発電の動作原理が実施例１と同様であるので、その詳しい説明を割愛する。
【００２１】
本実施例において、上記押圧レバー１５の屈曲部の下方に戻しバネ１６の上方に外嵌させるスリープ１５１が設けられる。
【００２２】
本実施例において、上記取付ボトムケース５上に取付柱５１が設けられ、上記戻しバネ１６のミドルボトル部が取付柱５１上に外嵌される。
【００２３】
以上、図面を参照して本考案の実施形態について詳しく説明したが、本考案が上記の実施形態に限定されるものではない。当業者が本考案の原理や要旨を逸脱しない範囲でこれらの実施形態に対するさまざまな変化、変更、置換及び変形も本考案の請求の範囲に含む。
【図１】
0003215823.tif 000003
【図２】
0003215823.tif 000004
【図３】
0003215823.tif 000005
【図４】
0003215823.tif 000006
【図５】
0003215823.tif 000007
【図６】
0003215823.tif 000008
【図７】
0003215823.tif 000009
【図８】
0003215823.tif 000010
【図９】
0003215823.tif 000011
【図１０】
0003215823.tif 000012
【図１１】
0003215823.tif 000013
【図１２】
0003215823.tif 000014